(57)【要約】【課題】カウンセリングに際し、いちいち顧客に問診しなくても、顧客の悩みや願望を簡単に引き出すことのできるカウンセリングツールと、その使用方法を提供する。【解決手段】メイクアップカウンセリングを行う際に用いられるカウンセリングツールであって、予めデータとして蓄積されたメイクアップに関する顧客の悩み情報が、メイクアップを行う部位別に分類され、各部位ごとに分類された悩み情報が、悩みの種類別に複数の項目に分類されて系統的に表示された悩み一覧表Ａと、上記顧客の悩み情報が、各別に、その悩みを克服して実現したい願望情報に変換され、各願望情報が、上記悩み一覧表Ａと同じ項目、同じ配置で分類されて系統的に表示された願望一覧表Ｂとを備えている。【選択図】図２６
2005074105.tif 000002
【特許請求の範囲】
【請求項１】
メイクアップカウンセリングを行う際に用いられるカウンセリングツールであって、予めデータとして蓄積されたメイクアップに関する顧客の悩み情報が、メイクアップを行う部位別に分類され、各部位ごとに分類された悩み情報が、悩みの種類別に複数の項目に分類されて系統的に表示された悩み一覧表Ａと、上記顧客の悩み情報が、各別に、その悩みを克服して実現したい願望情報に変換され、各願望情報が、上記悩み一覧表Ａと同じ項目、同じ配置で分類されて系統的に表示された願望一覧表Ｂとを備えていることを特徴とするカウンセリングツール。
【請求項２】
上記悩み一覧表Ａおよび願望一覧表Ｂとともに、各悩みの克服もしくは願望の実現のために行うべきメイクアップ方法を提示する説明表示部が、悩み別もしくは願望別に設けられている請求項１記載のカウンセリングツール。
【請求項３】
カウンセリングツールの形態が冊子状で、各悩みの克服もしくは願望の実現のために行うべきメイクアップ方法を提示する説明表示部が、悩み別もしくは願望別に、冊子のページごとに表示されており、上記悩み一覧表Ａに表示された各悩み情報の近傍と、上記願望一覧表Ｂに表示された各願望情報の近傍に、それぞれ、その悩みもしくは願望に関連する説明表示部を特定する表示部が付記されている請求項２記載のカウンセリングツール。
【請求項４】
請求項１〜３のいずれか一項に記載のカウンセリングツールの使用方法であって、上記悩み一覧表Ａを提示してその顧客の悩みを特定するか、あるいは上記願望一覧表Ｂを提示してその顧客の願望を特定するかを、カウンセリングを受ける顧客のタイプに応じて、その都度、使い分けるようにしたことを特徴とするカウンセリングツールの使用方法。
【発明の詳細な説明】
【技術分野】
【０００１】
本発明は、化粧品販売店の店員等が顧客に対して行うメイクアップカウンセリングの際に用いられるカウンセリングツールおよびその使用方法に関するものである。
【背景技術】
【０００２】
従来から、化粧品販売では、専門の美容員等が、店頭あるいは訪問先で、顧客に問診を行う等して顧客の肌の状態を特定した上で、その肌の状態に合った化粧品や化粧方法を推奨する、といういわゆるカウンセリングシステムが採用されている。このようなカウンセリングにおいては、通常、顧客とのやりとりを、スムーズに行うために、問診項目や、化粧品情報、化粧方法情報等を視覚的にまとめた情報シート（カウンセリングシート）等が用いられている（特許文献１、２参照）。
【特許文献１】実開平６−４５７５８号公報
【特許文献２】特開２００２−１７９５３１号公報
【発明の開示】
【発明が解決しようとする課題】
【０００３】
しかしながら、このような情報シート等を用いても、なお顧客が抱える悩みや願望を、短時間で的確に捉えることは困難で、カウンセリング結果によっては、顧客に不満足感を与えてしまうことがあった。また、顧客からより充分な情報を得るために、問診項目を増やすことも考えられるが、顧客によってはカウンセリングを充分に受ける時間がない人や、そのやりとりを煩わしく感じる人もあり、かえって逆効果になる場合がある。
【０００４】
このため、短時間で要領よく、的確なカウンセリングを行うことが要求されるが、全国に分散する膨大な数の化粧品販売店の各美容員、販売員等に対し、大本のメーカーが上記要求に応える人材教育を行うことは、多大な労力と時間を要する。
【０００５】
本発明は、このような事情に鑑みなされたもので、カウンセリングに際し、いちいち顧客に問診しなくても、顧客の悩みや願望を簡単に引き出すことのできるカウンセリングツールと、その使用方法の提供を目的とする。
【課題を解決するための手段】
【０００６】
上記の目的を達成するため、本発明は、メイクアップカウンセリングを行う際に用いられるカウンセリングツールであって、予めデータとして蓄積されたメイクアップに関する顧客の悩み情報が、メイクアップを行う部位別に分類され、各部位ごとに分類された悩み情報が、悩みの種類別に複数の項目に分類されて系統的に表示された悩み一覧表Ａと、上記顧客の悩み情報が、各別に、その悩みを克服して実現したい願望情報に変換され、各願望情報が、上記悩み一覧表と同じ項目、同じ配置で分類されて系統的に表示された願望一覧表Ｂとを備えているカウンセリングツールを第１の要旨とする。
【０００７】
また、本発明は、上記カウンセリングツールのなかでも、特に、上記悩み一覧表Ａおよび願望一覧表Ｂとともに、各悩みの克服もしくは願望の実現のために行うべきメイクアップ方法を提示する説明表示部が、悩み別もしくは願望別に設けられているカウンセリングツールを第２の要旨とし、そのなかでも特に、上記カウンセリングツールの形態が冊子状で、各悩みの克服もしくは願望の実現のために行うべきメイクアップ方法を提示する説明表示部が、悩み別もしくは願望別に、冊子のページごとに表示されており、上記悩み一覧表Ａに表示された各悩み情報の近傍と、上記願望一覧表Ｂに表示された各願望情報の近傍に、それぞれ、その悩みもしくは願望に関連する説明表示部を特定する表示部が付記されているカウンセリングツールを第３の要旨とする。
【０００８】
そして、本発明は、上記第１〜第３のいずれかの要旨であるカウンセリングツールの使用方法であって、上記悩み一覧表Ａを提示してその顧客の悩みを特定するか、あるいは上記願望一覧表Ｂを提示してその顧客の願望を特定するかを、カウンセリングを受ける顧客のタイプに応じて、その都度、使い分けるようにしたカウンセリングツールの使用方法を第４の要旨とする。
【発明の効果】
【０００９】
すなわち、本発明のカウンセリングツールには、予めデータとして蓄積されたメイクアップに関する顧客の悩み情報を、特定の項目別に分類して系統的に表示した悩み一覧表Ａが設けられている。したがって、いちいち顧客に問診しなくても、顧客の悩みを、直接、上記悩み一覧表Ａから選択させることができる。また、本発明には、上記悩み情報を、その裏返しである「願望情報」に変換し、これらを上記悩み一覧表と同一項目、同一配置で表示した願望一覧表Ｂが設けられている。したがって、「悩み」について語りたくない（あるいは認めたくない）顧客に対しては、悩み一覧表Ａではなく、上記願望一覧表Ｂの方を提示して、その顧客が実現したい願望を選択させることにより、顧客の抱える悩みを、表立たせることなく把握して、カウンセリングに役立てることができる。
【００１０】
また、上記カウンセリングツールにおいて、各悩みの克服もしくは願望の実現のために行うべきメイクアップ方法を提示する説明表示部が、悩み別もしくは願望別に設けられているものは、顧客が選択した悩みもしくは願望に対応する好ましいメイクアップ方法を、併せて提示することができるため、好適である。
【００１１】
さらに、上記カウンセリングツールにおいて、上記カウンセリングツールの形態が冊子状で、メイクアップ方法を提示する説明表示部が、悩み別もしくは願望別に、冊子のページごとに表示されており、上記悩み一覧表Ａに表示された各悩み情報の近傍と、上記願望一覧表Ｂに表示された各願望情報の近傍に、それぞれ、その悩みもしくは願望に関連する説明表示部を特定する表示部が付記されているものは、顧客が選択した悩みもしくは願望に対応する好ましいメイクアップ方法の提示を、迅速に行うことができ、さらに好適である。
【００１２】
そして、本発明のカウンセリングツールの使用方法によれば、自分の悩みについて美容員等とやりとりすることを好ましく思わないタイプの顧客には、願望一覧表Ｂを提示し、ストレートに悩みのやりとりを望むタイプの顧客には、悩み一覧表Ａを提示する、というように顧客に応じて使い分けることができ、悩みの特定を、顧客に不快感を与えることなく、スムーズに行うことができる。
【発明を実施するための最良の形態】
【００１３】
つぎに、本発明を実施するための最良の形態について説明する。
【００１４】
まず、図１は、本発明の一実施の形態であるカウンセリングツールを示している。このものは、冊子状で、その表紙１には、このカウンセリングツールを用いて行うカウンセリング方法のシンボルマークとなる記号２が表示されており、その下に、「ＣＥＮＴＵＲＹ  ＴＥＣＨＮＩＣＡＬ  メイクテクニック」という見出し３が表示されている。
【００１５】
そして、上記表紙１をめくって表れるつぎの頁は、図２に示すように、その上部に、「ＣＯＮＴＥＮＴＳ」という見出し４が表示されており、その下に、この冊子の内容を示す目次が示されている。なお、目次の項目は、「ベース」、「眉」、「目元」、「口元（唇）」、「基礎知識」、「カラーシステム」の６つのカテゴリーに分類されており、「ベース」の文字と、これに属する各項目は、クリーム色で表示されている。また、「眉」の文字と、これに属する各項目は、黄土色で表示されている。同様に、「目元」の文字と各項目は水色、「口元（唇）」の文字と各項目はピンク色、「基礎知識」「カラーシステム」の文字と各項目は緑色で、それぞれ表示されている。そして、各項目の表示は、「くずれ（Ｔゾーン・シワ・鼻唇溝）・よれ・テカリ／……」というように、その項目が属するカテゴリーにおける顧客の悩みやトラブル、要望等が一目でわかるように、具体的な表示となっている。なお、上記各項目の表示は、以下に述べるように、冊子の各頁において、見出し５、１１…等として、枠囲いされて大きく表示されている。
【００１６】
そのつぎの頁は、図３に示すように、「ベース」のカテゴリーに属する頁で、上部に、「くずれ（Ｔゾーン・シワ・鼻唇溝）・よれ・テカリ／つや・はり・乾燥／日焼け／シワ・毛穴・にきびあと」という見出し５が、クリーム色の帯状枠６に囲われた状態で、大きく表示されており、その上に、「ベースメイクのテクニック」という説明書き７が表示されている。上記見出し５に表示された項目は、いずれも、メイクアップを行う上で、最も基本となるベースに関する問題（悩み）を示している。そして、その下には、上記見出し５で示される３つの項目について、どのように対処すればよいかが表示されている。この表示部分も、クリーム色の四角枠８で囲われている。なお、上記帯状枠６内も、淡いクリーム色に着色されており、その頁において、見出し５が強く印象づけられるようになっている。また、この頁の右端には、側方に突出するクリーム色の見出し部９が設けられており、「ベース」の文字１０が表示されている。また、この頁の下部には、「ベース」のカテゴリーにおける頁を示す数字が表示されている。
【００１７】
図４〜図１１の各頁も、図３の頁と同様、「ベース」のカテゴリーに属する頁で、各頁の上部に、帯状枠６に囲われた見出し５と「ベースメイクのテクニック」という説明書き７が表示され、その下の四角枠８内に、上記見出し５の項目に対する対処方法が表示された構成になっている。そして、「ベース」の文字１０が表示された見出し部９が設けられていることと、特定部分にクリーム色の着色がなされていることも、図３の頁と同様であり、その説明を省略する。
【００１８】
そのつぎの頁は、図１２に示すように、「眉」のカテゴリーに属する頁で、上部に、「眉の簡単な描き方（眉毛が薄い・色も薄くなってきた）」という見出し１１が、黄土色の帯状枠１２に囲われた状態で、大きく表示されており、その上に、「眉のメイクテクニック」という説明書き１３が表示されている。そして、その下には、上記見出し１１で示される項目について、どのようなテクニックを用いればよいかが表示されている。この表示部分も、黄土色の四角枠１４で囲われている。なお、上記帯状枠１２内も、淡い黄土色に着色されており、その頁において、見出し１１が強く印象づけられるようになっている。また、この頁の左端には、側方に突出する黄土色の見出し部１５が設けられており、「眉」の文字１６が表示されている。そして、この頁の下部には、「眉」のカテゴリーにおける頁を示す数字が表示されている。
【００１９】
図１３、図１４の各頁も、図１２の頁と同様、「眉」のカテゴリーに属する頁で、上部に、帯状枠１２に囲われた見出し１１と「眉のメイクテクニック」という説明書き１３が表示され、その下の四角枠１４内に、上記見出し１１の項目に関して使用するテクニックの説明が表示された構成になっている。そして、「眉」の文字１６が表示された見出し部１５が設けられていることと、特定部分に黄土色の着色がなされていることも、図１２の頁と同様であり、その説明を省略する。なお、図１３の頁では、上下２段に見出し１１が設けられている。
【００２０】
そのつぎの頁は、図１５に示すように、「目元」のカテゴリーに属する頁で、左側の上部に、「目元がくすんでいる（くすんできた）・目元が黒ずんでいる（黒ずんできた）・瞼が乾きやすい」という見出し２１が、水色の帯状枠２２に囲われた状態で、大きく表示されており、その上に、「アイメイクテクニック」という説明書き２３が表示されている。また、右側の上部には、「疲れがすぐ目に出る（赤目）・くま・目尻の小ジワ」という見出し２４と水色の帯状枠２５が表示され、左側の中央には、「瞼のむくみ」という見出し２６と水色の帯状枠２７が表示され、右側の中央には、「目元のくぼみ」という見出し２８と水色の帯状枠２９が表示されている。そして、各見出し２１等の下には、それぞれその上の見出し２１等で示される項目について、どのようなテクニックを用いればよいかが表示されている。これらの表示部分も、水色の四角枠３０〜３３で囲われている。なお、上記帯状枠２２、２５、２７、２９の各枠内も、淡い水色に着色されており、その頁において、４つの見出し２１等が強く印象づけられるようになっている。また、この頁の右端には、側方に突出する水色の見出し部３４が設けられており、「目元」の文字３５が表示されている。そして、この頁の下部には、「目元」のカテゴリーにおける頁を示す数字が表示されている。
【００２１】
図１６、図１７の各頁も、図１５の頁と同様、「目元」のカテゴリーに属する頁で、左右に並ぶ２つの見出し２１、２４と「アイメイクテクニック」という説明書き２３が表示され、その下の四角枠３０、３１内に、上記見出し２１、２４の項目に関して使用するテクニックの説明が表示された構成になっている。なお、上記見出し２１，２４は、帯状枠２２，２５にそれぞれ囲われている。そして、「目元」の文字３５が表示された見出し部３４が設けられていることと、特定部分に水色の着色がなされていることも、図１５の頁と同様であり、その説明を省略する。
【００２２】
そのつぎの頁は、図１８に示すように、「口元（唇）」のカテゴリーに属する頁で、その上部に、「唇のにごり（にごってきた）・唇のシワが目立つ・唇が乾きやすい」という見出し４１が、ピンク色の帯状枠４２に囲われた状態で、大きく表示されており、その上に、「リップメイクテクニック」という説明書き４３が表示されている。また、この頁の中央部には、「口元の周辺が黒ずんでいる（黒ずんできた）」という見出し４４とピンク色の帯状枠４５が表示されている。そして、各見出し４１、４４の下には、それぞれその上の見出し４１、４４で示される項目について、どのようなテクニックを用いればよいかが表示されている。これらの表示部分も、ピンク色の四角枠４６、４７で囲われている。なお、上記帯状枠４２、４５の各枠内も、淡いピンク色に着色されており、その頁において、上下２段の見出し４１、４４が強く印象づけられるようになっている。また、この頁の左端には、側方に突出するピンク色の見出し部４８が設けられており、「口元（唇）」の文字４９が表示されている。なお、この頁の下部には、「口元（唇）」のカテゴリーにおける頁を示す数字が表示されている。
【００２３】
図１９〜図２１の各頁も、図１８の頁と同様、「口元（唇）」のカテゴリーに属する頁で、上下に並ぶ２つの見出し４１、４４（図１９）もしくは上部に１つだけの見出し４１（図２０、図２１）と、「リップメイクテクニック」という説明書き４３が表示され、その下の四角枠４６（４７）内に、上記見出し４１（４４）の項目に関して使用するテクニックの説明が表示された構成になっている。なお、上記見出し４１、４４は、帯状枠４２、４５にそれぞれ囲われている。そして、「口元（唇）」の文字４９が表示された見出し部４８が設けられていることと、特定部分にピンク色の着色がなされていることも、図１８の頁と同様であり、その説明を省略する。
【００２４】
そのつぎの頁は、図２２に示すように、「基礎知識」のカテゴリーに属する頁で、その上部に、「肌を美しく見せるトワニー  センチュリー  テクニカル  リップスティック  カラートーン  ポジショニング」という見出し５１が、帯状枠５２に囲われた状態で、大きく表示されており、枠内が、うすい黄土色に着色されている。そして、その下には、明度と彩度を基準とする色マップ５３が表示されており、このカウンセリングツールを用いてカウンセリングを行う際に推奨する一連のリップカラーの色が、上記色マップ５３上で、どのような配置になるかが示されている。なお、この頁の左端には、側方に突出する緑色の見出し部５４が設けられており、「基礎知識」の文字５５が表示されている。
【００２５】
そのつぎの頁は、図２３に示すように、「カラーシステム」のカテゴリーに属する頁で、その上部に、「カラーシステムの考え方」という見出し６０があり、その下に、「流行色にとらわれない不変的な美しさを実現する」という、この考え方の目的を示す文６１とともに、「肌ベースにあわせた色選び」という項目６２と、「色トーンでまとめる色選び」という項目６３とが、並べて表示されている。そして、その下には、「カラーシステム」という見出し６４が表示されており、その下に、生まれもった肌の色をベースとして、この肌の色に適した、各メイクアップ化粧品の色を並べて示す一覧表６５が表示されている。なお、この頁の右端には、側方に突出する緑色の見出し部７３が設けられており、「カラーシステム」の文字７４が表示されている。
【００２６】
そのつぎの頁は、図２４に示すように、「色選びのバイブル」という見出し７０が、帯状枠７１に囲われた状態で、大きく表示されており、枠内が、うすい黄土色に着色されている。そして、その下に、「色の性質を生かす効果」という説明書き７２が表示されており、その下に、「１．肌色の３要素」、「２．色選びは・・・」、「３．色の組み合わせ」という３つの項目のもとに、色選びの考え方の説明がなされている。なお、この頁の左端にも、側方に突出する緑色の見出し部７３が設けられており、「カラーシステム」の文字７４が表示されている。
【００２７】
そのつぎの頁は、図２５に示すように、「なりたいイメージ」という見出し８０が、帯状枠８１に囲われた状態で、大きく表示されており、枠内が、うすい緑色に着色されている。そして、その下に、顧客の願望情報を、「ベース」、「眉」、「目元」、「口元（唇）」の４つの部位に分類し、さらに、各部位ごとに、「色」、「トラブル」、「形」、「キープ法」の４種類に分類して、これらを系統的に示した願望一覧表Ｂが表示されている。そして、この頁の右端には、側方に突出する緑色の見出し部８２が設けられており、「基礎知識」の文字８３が表示されている。
【００２８】
上記願望一覧表Ｂに列挙されている願望情報は、１０年以上にわたり顧客３５００人に対して行ったアンケートにもとづき予めデータとして蓄積されたメイクアップに関する悩み情報を、格別に、その悩みを克服して実現したい願望という形に変換したもので、この頁のつぎの頁に表示された悩み一覧表Ａ（図２６参照）の、同じ位置にある悩み情報と対応するようになっている。例えば、「ベース」の「色」の項目に分類された願望において、一番上に表示された「・明るく仕上げたい」という願望は、悩みでいうと、「・くすみ」である。
【００２９】
そして、上記願望一覧表Ｂに列挙された各願望情報の右側には、頁（ページ）を示す欄８４が設けられており、各願望情報に関連する説明表示がなされている頁が、それぞれ表示されている。したがって、例えば、「・明るく仕上げたい」という願望の人に対しては、この冊子の、ベースの項目の第２頁を開き、その頁に表示された、肌を明るく仕上げるためのベースメイクのテクニックを提示しながらカウンセリングを行うことができるようになっている（図４参照）。
【００３０】
そのつぎの頁は、図２６に示すように、「１２の悩み」という見出し９０が、帯状枠９１に囲われた状態で、大きく表示されており、枠内が、うすい緑色に着色されている。そして、その下に、顧客の悩み情報を、「ベース」、「眉」、「目元」、「口元（唇）」の４つの部位に分類し、さらに、各部位ごとに、「色」、「トラブル」、「形」、「キープ法」の４種類に分類して、これらを系統的に示した悩み一覧表Ａが表示されている。そして、この頁の左端には、側方に突出する緑色の見出し部９２が設けられており、「基礎知識」の文字９３が表示されている。
【００３１】
なお、上記悩み一覧表Ａに列挙されている悩み情報は、上記願望一覧表Ｂの基礎となるもので、すでに述べたように、１０年以上にわたり顧客３５００人に対して行ったアンケートにもとづき予めデータとして蓄積されたメイクアップに関する悩み情報を、そのまま、分類して示したものである。分類の方法は、上記願望一覧表Ｂと同一であり、各悩み情報が、願望一覧表Ｂ（図２５参照）の、同じ位置にある願望情報と対応するようになっている。
【００３２】
そして、上記悩み一覧表Ａに列挙された各悩み情報の右側にも、頁（ページ）を示す欄９４が設けられており、各悩み情報に関連する説明表示がなされている頁が、それぞれ表示されている。したがって、例えば、「・くまができやすい」という悩みの人に対しては、この冊子の、ベースの項目の第６、７頁を開き、それらの頁に表示された、くまを隠すベースメイクのテクニックを提示しながらカウンセリングを行うことができるようになっている（図８、図９参照）。
【００３３】
上記カウンセリングツールを用い、美容員等は、顧客に対し、例えば、つぎのようにしてメイクアップカウンセリングを行うことができる。すなわち、まず、顧客に悩みがないかを聞き、悩みをストレートにいう顧客に対しては、図２６に示す悩み一覧表Ａを提示して、該当する悩みを選択してもらう。そして、その悩みの右側に付されたページから、冊子の該当するページを開いて、その悩みに関連するメイクアップテクニックを提示して、カウンセリングを行う。また、悩みはないが、もっとこうなりたい、こうしたいという顧客に対しては、図２５に示す願望一覧表Ｂを提示して、該当する願望を選択してもらう。そして、その願望の右側に付されたページから、冊子の該当するページを開いて、その願望に関連するメイクアップテクニックを提示して、カウンセリングを行う。もちろん、顧客が、特に悩みや願望をもっていなくても、美容員等が、顧客とやりとりしながら、その顧客に適した悩み情報もしくは願望情報を特定し、それに該当する冊子のページを開いて、カウンセリングを行うことができる。
【００３４】
なお、必ずしも悩み一覧表Ａもしくは願望一覧表Ｂで悩みもしくは願望を特定しなくても、図２に示す頁を開き、「ＣＯＮＴＥＮＴＳ」の見出し４の下に列挙される項目から、顧客の関心の高いものを選択して、該当するページを開いてカウンセリングを行うようにしても差し支えない。
【００３５】
このように、上記カウンセリングツールによれば、いちいち顧客に問診しなくても、顧客の悩みを、直接、上記悩み一覧表Ａから選択させることができる。また、「悩み」について語りたくない（あるいは認めたくない）顧客に対しては、悩み一覧表Ａではなく、上記願望一覧表Ｂの方を提示して、その顧客が実現したい願望を選択させることができ、顧客の抱える悩みを、表立たせることなく把握して、カウンセリングに役立てることができる。さらに、上記カウンセリングツールには、悩み解決（＝願望実現）のためのメイクアップテクニックを提示する説明表示部が、悩み別もしくは願望別に、冊子のページごとに表示されており、上記悩み一覧表Ａに表示された各悩み情報の右側と、上記願望一覧表Ｂに表示された各願望情報の右側に、それぞれ、その悩みもしくは願望に関連する説明表示部を表示するページが付記されているため、顧客の悩みもしくは願望を特定すれば、その右側のページ表示をみて該当ページを開くだけで、即座に、その悩み解決（＝願望実現）のためのメイクアップテクニックを提示することができ、迅速にカウンセリングを行うことができる。
【００３６】
なお、上記の例では、カウンセリングツールを冊子としたが、必ずしも冊子の形態をとる必要はなく、全体が、ばらばらのカードであったり、複数枚の剛性シートの組み合わせであってもよい。また、印刷物に限らず、ＴＶモニターや、ＣＲＴ、液晶モニター等の画像装置、コンピュータ等を利用して表示される画面も、本発明のカウンセリングツールに含まれるものとする。
【００３７】
そして、本発明では、悩み一覧表Ａと願望一覧表Ｂとを組み合わせていることが大きな特徴であり、それ以外の構成、例えばメイクアップテクニックの説明表示等については既成の情報シート等と組み合わせて用いても差し支えない。また、そのような説明表示を用いず、顧客の悩みや願望に適した化粧品を直接推奨し、口頭でメイクテクニックを説明したり、テスターを用いてメイクテクニックを実際に指導したりするようにしても、差し支えない。ただし、上記の例のように、全体が冊子もしくはカード、シート類でまとめられており、悩み一覧表Ａ、願望一覧表Ｂの悩み、願望を選択すれば、そこから即座に、メイクアップの説明表示部を取り出すことができるようにしておくと、カウンセリングをスムーズに行うことができ、好適である。
【００３８】
なお、上記の例では、悩み一覧表Ａと願望一覧表Ｂにおいて、悩み情報・願望情報を分類するのに、メイクアップの部位として、「ベース」、「眉」、「目元」、「口元（唇）」の４つの分類項目をあげ、悩み・願望の種類として、「色」、「トラブル」、「形」、「キープ法」の４種類をあげているが、分類項目は、これらに限らず、適宜に設定することができる。ただし、メイクアップの部位として、「ベース」と「目元」と「口元（唇）」は重要なポイントであり、この３つはできるだけ設けることが望ましい。
【００３９】
また、メイクアップテクニックの説明表示部を設ける場合、その構成や順序は、上記の例に限定されることなく、適宜に設定することができる。
【図面の簡単な説明】
【００４０】
【図１】本発明の一実施例であるカウンセリングツールの外観斜視図である。
【図２】上記実施例の部分的な説明図である。
【図３】上記実施例の部分的な説明図である。
【図４】上記実施例の部分的な説明図である。
【図５】上記実施例の部分的な説明図である。
【図６】上記実施例の部分的な説明図である。
【図７】上記実施例の部分的な説明図である。
【図８】上記実施例の部分的な説明図である。
【図９】上記実施例の部分的な説明図である。
【図１０】上記実施例の部分的な説明図である。
【図１１】上記実施例の部分的な説明図である。
【図１２】上記実施例の部分的な説明図である。
【図１３】上記実施例の部分的な説明図である。
【図１４】上記実施例の部分的な説明図である。
【図１５】上記実施例の部分的な説明図である。
【図１６】上記実施例の部分的な説明図である。
【図１７】上記実施例の部分的な説明図である。
【図１８】上記実施例の部分的な説明図である。
【図１９】上記実施例の部分的な説明図である。
【図２０】上記実施例の部分的な説明図である。
【図２１】上記実施例の部分的な説明図である。
【図２２】上記実施例の部分的な説明図である。
【図２３】上記実施例の部分的な説明図である。
【図２４】上記実施例の部分的な説明図である。
【図２５】上記実施例の部分的な説明図である。
【図２６】上記実施例の部分的な説明図である。
【符号の説明】
【００４１】
Ａ  悩み一覧表
Ｂ  願望一覧表
【図１】
2005074105.tif 000003
【図２】
2005074105.tif 000004
【図３】
2005074105.tif 000005
【図４】
2005074105.tif 000006
【図５】
2005074105.tif 000007
【図６】
2005074105.tif 000008
【図７】
2005074105.tif 000009
【図８】
2005074105.tif 000010
【図９】
2005074105.tif 000011
【図１０】
2005074105.tif 000012
【図１１】
2005074105.tif 000013
【図１２】
2005074105.tif 000014
【図１３】
2005074105.tif 000015
【図１４】
2005074105.tif 000016
【図１５】
2005074105.tif 000017
【図１６】
2005074105.tif 000018
【図１７】
2005074105.tif 000019
【図１８】
2005074105.tif 000020
【図１９】
2005074105.tif 000021
【図２０】
2005074105.tif 000022
【図２１】
2005074105.tif 000023
【図２２】
2005074105.tif 000024
【図２３】
2005074105.tif 000025
【図２４】
2005074105.tif 000026
【図２５】
2005074105.tif 000027
【図２６】
2005074105.tif 000028